(57)【特許請求の範囲】
【請求項１】
本体ケースの内側壁に沿って配設されて，熱源機からの温水と空気とを熱交換させる熱交換器と，
浴室又は脱衣室の空気を前記熱交換器を介して循環させ，４側辺近傍に設けられた第１〜第４吹出口から吹出す循環装置と，
前記本体ケースの内壁と前記熱交換器との間がなすバッファ空間と，
少なくとも前記バッファ空間を覆い，かつ，当該バッファ空間のコーナ面に前記熱交換器からの温風を滑らかに分流させる分流リブを備えた加熱室カバーと，
前記分流リブと前記熱交換器を挟んで相対向する位置に設けられ，かつ前記熱交換器の本体ケースへの固定部材を兼ねた整流リブとを有することを特徴とする浴室暖房乾燥機。
【発明の詳細な説明】
【０００１】
【発明の属する技術分野】
本発明は，浴室や脱衣室（以下，浴室等という）を４方向吹出により暖房又は乾燥を行うことが可能な浴室暖房乾燥機に関する。
【０００２】
【従来の技術】
一般住宅における浴室等の温度は，まだ誰も入浴していない場合には，外気温とさほど変らないため，高齢者のように環境適応力が低下した人にとっては，冬場等における急激な温度変化が大きなヒートショックとなり，急激な血圧変動を引き起し死亡事故が発生することがある。
【０００３】
一方，近年住宅事情の変化により，浴室等の換気を十分に行うことができない場合があり，浴室等の壁や天井にカビが発生し易く，当該浴室等を乾燥できる手段が望まれている。
【０００４】
更に，住宅事情の変化により，洗濯物を乾かすための物干場を確保することが困難な場合も少なくなく，浴室等を物干場として使用することが提案されている。
【０００５】
かかる要求に対して，例えば特開平９−６６１９９号公報におけるような浴室暖房乾燥機が提案されている。
【０００６】
上記公報にかかる浴室暖房乾燥機１０は，図１８及び図１９に示すように，熱源機１１からの温水が循環する熱交換器１２，浴室等の空気を当該熱交換器１２を介して循環させるクロスフローファン１３，浴室等の空気を換気するための換気用ファン１４，クロスフローファン１３や換気用ファン１４に電力を供給する電源ブロック１８等を有している。
【０００７】
そして，当該浴室暖房乾燥機１０は，浴室等の天井に設けられた開口に設置され，天井裏で温水配管１６や排気ダクト１５が接続された構成となっている。
【０００８】
浴室暖房乾燥機１０，温水配管１６及び排気ダクト１５等の据付施工及びこれらのメンテナンスは，開口に隣接して設けられた点検口１７から天井裏に手を伸して，時には天井裏に入り込んで行うようになっている。
【０００９】
なお，浴室等に限らず一般的な部屋は，化粧板が野縁等により支持されて形成される天井，その上に設けらてネダ等により支持された天井（例えば，２階の床となるもの）とが存在し，これらで挟まれた空間が天井裏を構成している。そこで，本明細書では化粧板により貼られた天井を浴室天井等と記載し，その上の天井を本天井と記載する。
【００１０】
【発明が解決しようとする課題】
しかしながら，上記構成にかかる浴室暖房乾燥機１０は，温風の吹出しをクロスフローファン１３により行うため，吹出方向が一方向吹出となって浴室等内に大きな温度分布が生じる問題があった。
【００１１】
図２０は，かかる一方向吹出の場合について浴室の温度分布をシュミュレーションした結果を示している。同図からわかるように，浴室等の主要空間を体温（３６度）前後に設定すると，吹出口近傍の温度を４０度以上にしなければならない。
【００１２】
このことは，浴室温度が低いことによるヒートショックについては予防できるが，逆に高温によるヒートショックによりのぼせて転倒したりする危険がある。
【００１３】
また，温風は浴室等の壁に当らない構成なので，入浴者が浴室等の壁に触れて冷たい思いをしたり，浴室等の乾燥を行う場合には乾燥効率が悪くなる問題がある。
【００１４】
さらに，近年施工される家屋の浴室等は，規格寸法（例えば，１坪タイプ等）が多く，また浴室天井等に用いられる化粧板も規格寸法のものが多くなっている。従って，浴室暖房乾燥機１０や点検口１７を最適な場所に設けることが困難となる問題がある。
【００１５】
即ち，浴室等には，浴槽は勿論，戸や窓等が設けられており，これらに依存して温度分布が決るため，浴室暖房乾燥機の設置位置を決定する際には，これらの位置や大きさ等を勘案して最適位置に設ける必要がある。
【００１６】
このような最適位置の決定は，実際の温度分布を想定して施工する必要があるため，据付施工にはこれらの知識や経験のある作業者が不可欠となって，作業性を低下させる要因となると共に施工費用が高くなる問題がある。
【００１７】
また，最適位置を決定しても，当該最適位置が浴室天井の隅であったり化粧板の継目（メジ）の位置と一致しない場合には不体裁（意匠が悪くなる）になるので，最適位置を取るか体裁を取るかを選択しなければならなくなる問題がある。
【００１８】
また，クロスフローファン１３により浴室等の空気が浴室暖房乾燥機内を通過して強制循環されるが，このとき流動する空気により大きな騒音が発生する問題がある。
【００１９】
そこで，本発明は，４方向吹出を可能にして効率的に浴室等の暖房及び乾燥が行えるようにすると共に，騒音の少ない浴室暖房乾燥機を提供することを目的とする。
【００２０】
【課題を解決するための手段】
上記課題を解決するため，請求項１にかかる発明は，本体ケースの内側壁に沿って配設されて，熱源機からの温水と空気とを熱交換させる熱交換器と，浴室又は脱衣室の空気を熱交換器を介して循環させ，４側辺近傍に設けられた第１〜第４吹出口から吹出す循環装置と，本体ケースの内壁と熱交換器との間がなすバッファ空間と，少なくともバッファ空間を覆い，かつ，当該バッファ空間のコーナ面に熱交換器からの温風を滑らかに分流させる分流リブを備えた加熱室カバーと，分流リブと熱交換器を挟んで相対向する位置に設けられ，かつ熱交換器の本体ケースへの固定部材を兼ねた整流リブとを有することを特徴とする。
【００２１】
【発明の実施の形態】
本発明の実施の形態を図を参照して説明する。図１は本発明にかかる浴室暖房乾燥機の外観斜視図であり，図２はその組立分解斜視図，図３は浴室暖房乾燥機の本体の斜視図，図４は当該浴室暖房乾燥機を浴室及び脱衣室に据付けたときの様子を示す図，図５は浴室天井に据付けられた浴室暖房乾燥機の側面図である。
【００２２】
当該浴室暖房乾燥機１００は，浴室等の空気を温水と熱交換させて当該浴室等を暖めると共に換気する本体１０１，該本体１０１の前面（浴室等の側）に据付られたグリル１０２，本体１０１を天井に据付るための据付装置１０３等を有している。
【００２３】
据付装置１０３は，野縁１０４等に固定される野縁固定具１０５，該野縁固定具１０５に本体１０１を垂下して，当該本体１０１を固定する吊下部材１０６等により構成されている。
【００２４】
野縁固定具１０５は，図６に示すように方形をなすアングルで，各コーナ部には雌ネジ１０７が固着され，側板１０８に複数の貫通穴１０９が設けられて，野縁１０４にネジ止めする構成となっている。
【００２５】
吊下部材１０６は，図７に示すようにボルト１１０及びワッシャ１１１から構成されている。ボルト１１０は，先端に先端ネジ部１１２が形成されると共に後端に後端ネジ部１１３が形成され，かつ，これらの中間領域１１４の直径は，先端ネジ部１１２及び後端ネジ部１１３のネジ谷がなす直径より適宜小さくなっている。
【００２６】
一方，ワッシャ１１１は中央穴１１５まで切込１１６が形成されている。この中央穴１１５の寸法Ｄ１は，ボルト１１０の中間領域１１４の直径Ｄ２より適宜大きく，かつ，ボルト１１０の頭部がなす直径Ｄ３より適宜小さくなっている。
【００２７】
グリル１０２は図８に示すように，４方の周辺部に第１〜第４吹出口２４０〜２４３を開閉するように第１〜第４ルーバ２４４〜２４７が設けられ，当該第１〜第４ルーバ２４４〜２４７により温風の吹出方向を設定するようになっている。
【００２８】
一方，吸気パネル１１７の一端には，頭部が脚部より幅広に形成された概略「Ｔ」字状のヒンジ爪１２０が突設され，対向する端部には開閉ボタン１２１が設けられている。また，吸気パネル１１７の裏面（本体１０１側）の対向する端部には，それぞれ図示しないフィルタ支持爪が設けられてフィルタが脱着可能になっている。
【００２９】
図９は本体１０１の内部構成を示す斜視図で，当該本体１０１は浴室等の空気を吸気して，これを温風にした後，再度浴室等に送風する加熱部１２８，該加熱部１２８からの温風を４つの第１〜第４吹出口２４０〜２４３に導く導風部１６１，浴室等の空気等を換気する換気部１３０，加熱部１２８や換気部１３０を駆動制御する制御部１３１等を有し，これらが本体ケース１３２内に収納されている。
【００３０】
なお，本体ケース１３２内は，仕切板１３３により加熱部１２８等が収納される加熱室と換気部１３０や制御部１３１等が収納される制御室とに区画されて，少なくとも制御室には浴室等の湿度の高い空気が侵入しないようになっている。
【００３１】
加熱部１２８は，図１０に示すように，３辺からなる概略「コ」字状に形成されて，浴室等の空気を温水配管１３７を介して熱源機１３６から循環してきた温水と熱交換させる熱交換器１３８，浴室等の空気を吸気して熱交換器１３８を介して循環させる吐出す循環用送風機１３９等により構成されている。
【００３２】
熱交換器１３８は本体ケース１３２の側壁に沿って配設されて，熱交換器シール材１４０を介して固定部材１４１により本体ケース１３２に固定されている。また，熱交換器１３８の給排水部２３０は制御室側まで延設されて，本体ケース１３２の側壁に固定されている。
【００３３】
なお，熱交換器１３８と本体ケース１３２の側壁とは所定の間隔で対峙するように設けられて，熱交換器１３８からの温風に対するバッファ空間１４７が形成され，当該バッファ空間１４７から第１〜第４吹出口２４０〜２４３を経て温風が浴室等に吹出されるようになっている。
【００３４】
従って，熱交換器１３８からの温風はバッファ空間１４７を流動し，その後当該バッファ空間１４７より小さい第１〜第４吹出口２４０〜２４３から吹出されるので，当該バッファ空間１４７が消音器として作用するようになり，送風に伴う騒音を低減することができるようになる。
【００３５】
また，固定部材１４１は，熱交換器１３８における循環用送風機１３９側の熱交換器コーナ部１４８の２カ所に設けられて，図１１に示すように上端部が折曲げられて，熱交換器シール材１４０を介して熱交換器１３８に当接する当接部１４２が形成され，下端部はネジにより本体ケース１３２に止められる固定部１４３が形成されている。
【００３６】
さらに，当該固定部材１４１における主柱部分の端部は，所定の角度で折曲げられてリブ１５０が形成され，当該固定部材１４１の強度を増強すると共に，以下の作用により静音化が図られている。
【００３７】
即ち，循環用送風機１３９から吐出される空気は，エンペラ（後述する）の角度に依存した方向に吹出されるため，加熱室内で回転する成分を持つようになる。例えば，図９では時計回りに空気が回転する。このため熱交換器コーナ部１４８分で乱流が発生しやすくなって騒音が増大する。
【００３８】
かかる乱流は，循環用送風機１３９が円形状であり，熱交換器１３８が矩形状であるため，物理的に発生しないようにすることができず，従って当該乱流による騒音をなくすことはできない。
【００３９】
しかし，この乱流を複数の小さな乱流にするならば全体の騒音を小さくすることができる。即ち小さな乱流は，エネルギーも小さいので，個々の乱流による騒音が小さくなる。そして，これら複数の乱流による騒音周波数の位相は通常一致しないため，相殺する成分が生じて全体として騒音を抑えることができるようになる。
【００４０】
そこで，固定部材１４１を大きな乱流が発生する循環用送風機１３９側の熱交換器コーナ部１４８に設け，その主柱部分にリブ１５０を循環用送風機１３９の方向に立設して大きな乱流の発生を抑制して静音化を図っている。
【００４１】
無論，リブ１５０の形状（張出し長さや角度等）や循環用送風機１３９の風速等により静音化効果が異なるので，適宜状況に応じて設計する必要があることは付言するまでもない。
【００４２】
一方，循環用送風機１３９は，複数のエンペラが周囲に設けられた遠心型ファン１５１，該遠心型ファン１５１を回転させる循環モータ１５２，吸気した空気により当該循環モータ１５２が冷却されるように通気口１５３を備えて，本体ケース１３２に着脱可能に設けられた循環モータカバー１５４，循環モータ１５２の頭部及び底部に配設されて，循環モータカバー１５４を本体ケース１３２に係合させることにより循環モータ１５２を弾性力で支持する循環モータ支持部材１５５等により構成されている。
【００４３】
そして遠心型ファン１５１が回転することにより，当該遠心型ファン１５１の中央部分から浴室等の空気が吸気され，ファン外周部に吐出される。このとき，吐出方向には指向性が無いので，空気は等方的に吐出される。
【００４４】
しかし，熱交換器１３８が無い制御室側にも空気が吐出されると，その空気は仕切板１３３に当り，流路を変えて熱交換器１３８に流入するようになる。このため，空気が仕切板１３３に当る際の風音や流路を変える際に生じる乱流等による音が騒音となる。
【００４５】
そこで，本発明では，遠心型ファン１５１と対向する部分の仕切板１３３の形状を，当該遠心型ファン１５１の曲率に合わせて円弧状に形成し，部分的に遠心型ファン１５１を取巻くように配設している。これにより，当該部分から空気が吹出されないようになって静音化が図られると共に，加熱室のデッドスペースを少なくしている。
【００４６】
なお，本発明にかかる浴室暖房乾燥機１００の寸法は浴室等の建築規格に合わて設定しているので，必要以上に小さくすることはこの趣旨に反する。そこで，仕切板１３３により省かれた加熱室のデッドスペースを装置の小型化に直接反映させず，制御部１３１の周辺空間の確保に利用している。
【００４７】
当該周辺空間は，制御部１３１の冷却空間として作用するので効率的な冷却が可能になると共に，保守点検等の作業空間となるので作業効率を高めることができるようになっている。
【００４８】
導風部１６１は，図１２〜図１５に示すように，第１〜第３吹出窓１６２〜１６４が形成されて加熱室をカバーするように設けられた加熱室カバー１２６，第４吹出口２４３と位置が一致するように第４吹出窓１６５が設けられて制御室をカバーする制御室カバー１２７，加熱室と制御室とが連通することなく，第４吹出窓１６５を加熱室に連通させる温風ガイド１６６等により構成されている。
【００４９】
そして，加熱室カバー１２６は，中央部分が循環用送風機１３９より適宜小さめに吸気用開口されて循環用送風機１３９に吸気される空気の通路をなす吸気窓１６８，３方向の周辺部分に設けられて，組立てられた際にはグリル１０２に設けられた第１〜第３吹出口２４０，２４１，２４２と位置が一致する第１〜第３吹出窓１６２〜１６４，熱交換器シール材１４０に当接して加熱室を循環用送風機１３９側とバッファ空間１４７側と区画する区画リブ１６９，バッファ空間１４７のコーナ部に設けられた山状突起からなる分流リブ１７１等を有している。
【００５０】
循環用送風機１３９から吹出される空気は，バッファ空間１４７のコーナ部で左右に分れて隣接する吹出口から吹出されるが，このときコーナ部で乱流が発生しやすい。そこで，分流リブ１７１は，熱交換器１３８から吹出された空気を滑らかに分流させて，当該コーナ部で乱流が発生しないようにすることにより静音化を図っている。
【００５１】
温風ガイド１６６は，側壁の一つが開口されて温風導入口１７６をなすと共に上面が開口されてなる箱体で，第４吹出窓１６５が位置する制御室カバー１２７の裏面に固着されて，温風導入口１７６から導入された温風が上面の開口を介して第４吹出口２４３から吹出されるようになっている。
【００５２】
次に，上記構成の浴室暖房乾燥機１００の据付手順及び保守点検手順を図４に示す浴室と脱衣室とに浴室暖房乾燥機１００を据付，熱源機１３６からの温水は脱衣室の浴室暖房乾燥機１００に供給される場合を例に説明する。
【００５３】
また，浴室暖房乾燥機１００の据付は，既存住宅に据付る場合であって，浴室天井及び脱衣室天井の野縁１０４の間隔が６０ｃｍの場合について説明する。しかし，本発明は，これらに限定されるもので無く，新築住宅に据付けてもよいことは明らかである。
【００５４】
なお，野縁１０４には化粧天井板が固定されて，当該化粧天井板のメジの位置が野縁１０４の位置となっているものとする。
【００５５】
このような前提で据付手順や保守点検手順を説明するが，浴室等及び脱衣室における浴室暖房乾燥機１００の共通する据付手順等は，これらの区別を行わないで説明する。
【００５６】
先ず，浴室暖房乾燥機１００を据付るための据付開口２１２を浴室天井等に設ける。当該浴室暖房乾燥機１００の本体ケース１３２の寸法は例えば５３ｃｍとし，据付開口２１２は例えば５５ｃｍの正方形とする。また，グリル１０２の寸法は野縁１０４の間隔より広い寸法で，例えば６１ｃｍとする。
【００５７】
規格住宅における野縁１０４間の最小幅が６０ｃｍであるので，上記寸法に設定するならば，どのような規格住宅でも据付けることができるようになり，野縁１０４の間を広げたりする作業及びそれに伴うコスト不要になる。
【００５８】
熱源機１３６からの温水配管１３７を脱衣室の浴室暖房乾燥機１００まで配管する。このとき，温水配管１３７は後述する理由から適宜長めに配管する。また，換気ダクト２１６を据付開口２１２の近傍まで配設しておく。さらに制御線２１３を配線しておく。
【００５９】
次に，野縁１０４に野縁固定具１０５を固定する。そして，野縁固定具１０５の雌ネジ１０７に，ボルト１１０の先端ネジ部１１２を螺合させて，当該ボルト１１０が据付開口２１２から吊下がった状態にしておく。
【００６０】
このような状態が完了した後，図１６に示すように，浴室暖房乾燥機１００の本体１０１を持上げ，当該本体１０１の周辺４隅に設けられた吊下穴１７７にボルト１１０を通す。この吊下穴１７７はボルト１１０の頭より適宜大きく，かつ，ワッシャ１１１より小さく形成されている。
【００６１】
そして，ワッシャ１１１を切込１１６からボルト１１０に挿入し，当該ボルト１１０の頭にワッシャ１１１を当接させて本体１０１を下げる。吊下穴１７７はワッシャ１１１より小さいので，本体１０１はワッシャ１１１に当接して中吊状態となる。図１７は，このときの様子を示す断面図である。
【００６２】
浴室等及び脱衣室の浴室暖房乾燥機１００をこのような中吊状態にした後，温水配管１３７の接続及び制御線２１３の接続を行う。
【００６３】
温水配管１３７は，適度にフレキシブルな樹脂管等が用いられ，かつ，長めに配管されているので，当該温水配管１３７の端部を浴室側等に引出して給排水部２３０に接続する。
【００６４】
これにより温水配管１３７及び制御線２１３の接続が完了し，次に本体１０１を所定位置に固定する。当該本体１０１の固定は，ボルト１１０の先端ネジ部１１２が雌ネジ１０７を越えるまで回して，雌ネジ１０７が中間領域１１４に位置するようにする。そこで，本体１０１及びボルト１１０を押上げて，後端ネジ部１１３と雌ネジ１０７とを螺合させることにより行う。
【００６５】
本体１０１が所定位置に固定された後，制御室カバー１２７を取外し（予め取外しておいてもよい），本体ケース１３２の内側から換気ダクト２１６を当該本体ケース１３２に引込むようにして接続する。
【００６６】
そして，グリル１０２を本体１０１にネジ止めし，４つの第１〜第４ルーバ２４４〜２４７の角度を温風が適宜所望の方向に送風されるように調整して浴室暖房乾燥機１００の据付作業が完了する。
【００６７】
なお，据付装置１０３の状態，据付開口２１２の形成状態或は化粧天井板の固定状態等により，本体１０１が化粧天井板のメジと平行にならない場合がある。このとき，本体ケース１３２の端部とメジとは近接しているので，多少の非平行状態でも目立ってしまい微調整が必要になる。
【００６８】
しかし，本発明にかかるグリル１０２の寸法は，化粧天井板より大きめに設定されているので，かかる天井化粧板のメジが隠されて多少の非平行状態でも目立なくすることができるようになっている。
【００６９】
このようにして据付られた浴室暖房乾燥機１００の保守点検を行うときは，上述した据付手順を遡ることにより可能である。
【００７０】
【発明の効果】
以上説明したように請求項１にかかる発明によれば，本体ケースの内側壁に沿って配設されて，熱源機からの温水と空気とを熱交換させる熱交換器と，浴室又は脱衣室の空気を熱交換器を介して循環させ，４側辺近傍に設けられた第１〜第４吹出口から吹出す循環装置と，本体ケースと熱交換器との間がなすバッファ空間と，少なくともバッファ空間を覆い，かつ，当該バッファ空間と接するコーナ面に熱交換器からの温風を滑らかに分流させる分流リブを備えた加熱室カバーと，分流リブと熱交換器を挟んで相対向する位置に設けられ，かつ熱交換器の本体ケースへの固定部材を兼ねた整流リブとを有することを特徴とする。上記分流リブは，前述したように，熱交換器から吹出された空気を滑らかに分流させて，コーナ部で乱流が発生しないようにすることにより静音化を図っている。また，整流リブは，前述したように，熱交換器の固定部材を大きな乱流が発生する循環用送風機側の熱交換器コーナ部に設け，その主柱部分にリブを循環用送風機の方向に立設して大きな乱流の発生を抑制して静音化を図っている。即ち小さな乱流は，エネルギーも小さいので，個々の乱流による騒音が小さくなる。そして，これら複数の乱流による騒音周波数の位相は通常一致しないため，相殺する成分が生じて全体として騒音を抑えることができるようになる。
【図面の簡単な説明】
【図１】本発明の実施の形態の説明に適用される浴室暖房乾燥機の斜視図である。
【図２】浴室暖房乾燥機の分解斜視図である。
【図３】グリルを取除いたときの浴室暖房乾燥機本体の斜視図である。
【図４】浴室及び脱衣室に浴室暖房乾燥機を設けたときの模式図である。
【図５】浴室暖房乾燥機を据付けたときの側面図である。
【図６】野縁固定具の構成図である。
【図７】吊下部材の構成図である。
【図８】グリルの斜視図である。
【図９】浴室暖房乾燥機本体の内部構成を示す斜視図である。
【図１０】熱交換器の斜視図である。
【図１１】固定部材の斜視図である。
【図１２】加熱室カバーの上面図である。
【図１３】加熱室カバーの側面図である。
【図１４】加熱室カバーの側面図である。
【図１５】制御室カバーの斜視図である。
【図１６】浴室暖房乾燥機本体の取付状況を示す模式図である。
【図１７】浴室暖房乾燥機本体を据付けたときの側面図である。
【図１８】従来の技術の説明に適用される浴室暖房乾燥機を浴室に取付けたときの模式図である。
【図１９】従来の技術の説明に適用される浴室暖房乾燥機の構成図である。
【図２０】従来の技術の説明に適用される一方向吹出の温度分布図である。
【符号の説明】
１００  浴室暖房乾燥機
１０１  本体
１０２  グリル
１０３  据付装置
１０４  野縁
１２８  加熱部
１３０  換気部
１３２  本体ケース
１３６  熱源機
１３８  熱交換器
１３９  循環用送風機
１４７  バッファ空間
１６１  導風部
１６２〜１６４  第１〜第３吹出窓
１６６  温風ガイド
１７１  分流リブ
２４０〜２４３  第１〜４吹出口
【図１】
0003939032.tif 000002
【図２】
0003939032.tif 000003
【図３】
0003939032.tif 000004
【図４】
0003939032.tif 000005
【図５】
0003939032.tif 000006
【図６】
0003939032.tif 000007
【図７】
0003939032.tif 000008
【図８】
0003939032.tif 000009
【図９】
0003939032.tif 000010
【図１０】
0003939032.tif 000011
【図１１】
0003939032.tif 000012
【図１２】
0003939032.tif 000013
【図１３】
0003939032.tif 000014
【図１４】
0003939032.tif 000015
【図１５】
0003939032.tif 000016
【図１６】
0003939032.tif 000017
【図１７】
0003939032.tif 000018
【図１８】
0003939032.tif 000019
【図１９】
0003939032.tif 000020
【図２０】
0003939032.tif 000021